(57)【要約】【課題】本願発明の課題は、簡単な構造で日差し量を調節できる屋根構造を提供することである。また、室内空間を開放的に構成しながらも、十分な強度を確保できる屋根構造とすることも課題となる。【解決手段】屋根面を屋根面に沿って上下間隔を空けて平行に連結して配置された複数の羽根板で構成した屋根構造であって、羽根板の両側端は、該羽根板面の傾斜角度が設置場所における冬至南中時の太陽高度の前後3度以内とする位置で、隣り合う垂木の間に固定がされていることを特徴とする構造を提供する。【選択図】図２
2017128987.tif 000002
【特許請求の範囲】
【請求項１】
屋根面を屋根面に沿って上下間隔を空けて平行に連結して配置された複数の羽根板で構成した屋根構造であって、
前記羽根板の両側端は、該羽根板面の傾斜角度が設置場所における冬至南中時の太陽高度の前後3度以内とする位置で、隣り合う垂木の間に固定がされていることを特徴とする構造。
【請求項２】
前記垂木と羽根板との固定は、前記上下間隔を空けて平行に前記羽根板の両端を連結する連結部材を介しての固定であること特徴とする請求項１に記載の構造。
【請求項３】
上下間隔を空けて平行に連結部材によって連結された複数の羽根板をルーバーユニットとして予め作成し、
隣合う垂木の間に、前記ルーバーユニットを組み込むことを特徴とする屋根構造の工法。
【請求項４】
前記複数の羽根板は、竣工時における羽根板面の角度が、前記屋根構造を含む建物の設置場所における冬至南中時の太陽高度の前後３度以内の角度に収まる位置に固定されることを特徴とする請求項３に記載の工法。
【発明の詳細な説明】
【技術分野】
【０００１】
本発明は、建物の屋根構造に関し、特に屋根の構造として複数枚のルーバーが配置された屋根構造に関する。
【背景技術】
【０００２】
近年、サンルーム等を設けた建物の屋根において、開放的な室内空間を作るため、天窓や透明部材の屋根が採用されている。
【０００３】
しかし、夏場に直接日差しが入り、高温となる問題があり、ブラインドを別途設置などの配慮が必要となる。また、面積の広い天窓や透明部材を採用する場合、屋根自体の強度を確保する配慮も必要となる。
【０００４】
面積の広い天窓や透明部材を採用した屋根に取り付けるブラインドの場合、設置後に弛んでくる問題があった。
ブラインドの設置が、屋根の構造材にぶら下げる方式となるため、ブラインドの張力を長期間保つことが困難だからである。
【０００５】
この改善策として、特許文献１において、屋根板と天井板とを対向させて、それらの間に面状空間を有する屋根を形成した屋根構造が提案されている。
しかしながら、上記面状空間内に多数のルーバーにより構成されたブラインドを配設し、面状空間を通じての換気装置を設けるなど、屋根構造が複雑になる。
【先行技術文献】
【特許文献】
【０００６】
【特許文献１】実開昭６１−３９７１８号公報
【発明の概要】
【発明が解決しようとする課題】
【０００７】
本願発明の課題は、簡単な構造で日差し量を調節できる屋根構造を提供することである。また、室内空間を開放的に構成しながらも、十分な強度を確保できる屋根構造とすることも課題となる。
【課題を解決するための手段】
【０００８】
本発明の第1の観点の発明では、屋根面を屋根面に沿って上下間隔を空けて平行に連結して配置された複数の羽根板で構成した屋根構造であって、
前記羽根板の両側端は、該羽根板面の傾斜角度が設置場所における冬至南中時の太陽高度の前後3度以内とする位置で、隣り合う垂木の間に固定がされていることを特徴とする構造が提供される。
【０００９】
ここで、前記垂木と羽根板との固定は、前記上下間隔を空けて平行に前記羽根板の両端を連結する連結部材を介しての固定であるとしてもよい。
また、竣工時における羽根板面の角度が、前記屋根構造を含む建物の設置場所における冬至南中時の太陽高度の前後３度以内の角度に収まる位置に固定するために、連結部材の長手方向と羽根板面の方向とがなす角度が、上記冬至南中時の太陽高度に上記建物の屋根面の傾斜角を加えた角度の前後3度以内になるようにしてもよい。
【００１０】
本発明の第2の観点の発明では、上下間隔を空けて平行に連結部材によって連結された複数の羽根板をルーバーユニットとして予め作成し、
隣合う垂木の間に、前記ルーバーユニットを組み込むことを特徴とする屋根構造の工法が提供される。
【００１１】
ここで、前記複数の羽根板は、竣工時における羽根板面の角度が、前記屋根構造を含む建物の設置場所における冬至南中時の太陽高度の前後３度以内の角度に収まる位置に固定されるとしてもよい。
このような角度に収めるために連結部材の長手方向と羽根板面の方向とがなす角度が、上記冬至南中時の太陽高度に上記建物の屋根面の傾斜角を加えた角度の前後3度以内になるようにしてもよい。
【図面の簡単な説明】
【００１２】
【図１】図１は、実施例1に係る屋根構造の斜視図とＡ−Ａ‘線を含む垂直面で切った断面図である。
【図２】図２は、Ａ―Ａ’で切った断面の詳細図である。
【図３】図３は、ルーバー構造を片流れ屋根に適用した屋根構造を示した図である。
【図４】図４は、羽根板の取付状態を示した部分図である。
【図５】図５は、ルーバーユニットの斜視図である。
【図６】図６は、羽根板面の設定角度、屋根面傾斜角及び冬至南中時における太陽高度の関係を示す図である。
【図７】図７は、実施例1に係る屋根構造の工法を示したフローチャートである。
【発明を実施するための形態】
【００１３】
簡単な構造で日差し量を調節できる屋根構造を提供するという課題と、室内空間を開放的に構成しながらも、十分な強度を確保できる屋根構造とするという課題を、屋根を垂木の間に組み込んだ複数の羽根板から構成されるルーバー構造とすることにより実現した。
以下に示す実施例は、本願発明の好適な実施の例を示したものであり、これに限定して本願発明が解釈されるものではない。
【実施例１】
【００１４】
図１は、実施例1に係る建物の構造を示した斜視図と断面図である。
斜視図１０００Ａにおいて、１００１S及び１００１Nで示す屋根面は、表面を光透過性の屋根材で覆い、内側の屋根構造は、垂木に挟まれた羽根板から構成されるルーバー構造となっている。ここで羽根板は、屋根構造の美観の観点から木材とするが、本願発明の羽根板はこれに限定されるものではなく、適宜変更可能である。
１００１Sは、南向き屋根であり、１００１Nは北向き屋根である。ここでは、光透過性屋根材を通して見える南向き屋根の垂木を１００２a〜１００２ｍで示してある。北向き屋根にも符号を付していないが同様の垂木が光透過性屋根部材を通して見えている
断面図１０００Ｂにおいて示すように北向き屋根も南向き屋根の水平面に対して同一の角度に設置されており、ここでは冬至南中時の太陽高度である。ここでの北向き屋根のルーバー構造と南向き屋根のルーバー構造がそれぞれ別個に前後3度以内であれば、適宜変えることにより、調光の程度を変えても良い。
【００１５】
（屋根構造）
図２は、図１のＡ―Ａ’線を含む垂直面で切った建物の南向き屋根の断面を矢印方向に見た断面の部分詳細図である。
複数の羽根板２００１ａ〜１００１ｌが、固定部材２００２を介して垂木２００３の間に、屋根面に沿って上下間隔を空けて平行に連結された配置に固定されて、ルーバー構造を構成している。
ここでは、羽根板の固定は、連結部材を介して固定する方式であるが、垂木に直接固定する方式であってもよい。
また、ルーバー構造を覆うように光透過性屋根材２００４が、胴縁２００５ａ〜２００５ｄを介して垂木２００３に設置されている。
棟木２００６と軒２００７が、ルーバー構造や光透過性屋根材を固定する垂木２００３を支える。２００８は、雨水を受ける樋である。
【００１６】
（片流れ屋根）
ここでは、切妻の屋根にルーバー構造を適用しているが、本願発明に係るルーバー構造の適用はこれに限定されるものではない。
図３は、ルーバー構造を片流れ屋根に適用した屋根構造を示した図である。母屋３００１に敷設したルーバー構造を適用した片流れ屋根３００２を示している。接合支持部材３００３は、母屋の壁面に接合する屋根を支える。雨除け部材３００４は、母屋と屋根との接合部に雨が侵入するのを防ぎ、
【００１７】
（ルーバー構造の固定）
図４は、ルーバー構造を垂木に固定する方式の一例を示した図１のＢ−Ｂ‘線を含む水平面で切った断面を矢印方向で示すように下から見た部分断面図である。ここで図２に示したものに相当する部材は、共通の番号で示す。
隣合う垂木２００３ａと２００３ｂとの間に、羽根板２００１が固定部材２００２ａと２００２ｂを介して固定される。固定部材は、ビス４００１ａ及び４００１ｂによって、垂木２００３ａと２００３ｂに止められる。
本願発明は、ここで示したビスによる固定方式に限定されるものではなく、釘による固定方式等適宜変更されうる。
光透過性羽根材２００５は、胴縁２００４を介して垂木２００３に設置される。
【００１８】
（ルーバーユニット）
図５は、ルーバー構造の屋根構造を効率的に形成するためのルーバーユニットの斜視部分図である。
上下間隔を空けて平行に配置された複数の羽根板５００１a〜５００１ｆの両側端を固定部材５００１ａと５００１ｂが連結して構成される。
ここでは、南向き屋根に装着するユニットの部分を示したが、北向き屋根も同様のユニットを形成すればよい。
尚、固定部材への固定角が、南向き屋根に装着するユニットと北向き屋根に装着するユニットでは、屋根に装着したときの羽根板面を冬至南中時の太陽高度に合わせて調整されるため、異なる。
【００１９】
（取付角度を決める手順）
図６は、羽根板を固定部材に連結するときの設定角度を決めるために必要な角度を示す図である。
６００１で示す角度が、羽根板の固定部材に連結するとき連結角である。図５では、固定部材の長手南向き方向６００２（竣工時に地面に向かう方向）から左周りに計測する。
６００３は、屋根面の傾斜角である。ここでは南向き屋根の傾斜角を水平北向き方向６００４から左周りに計測する。
６００５は、羽根板の設定角度である。ここでは水平南向き方向６００６から左周りに計測する。
本実施例では、この設定角度６００５が建物の場所における冬至南中時の太陽高度に等しくなるように設定する。そのためには、以下に示す式を満たすような連結角６００１とすればよい。
（連結角６００１）＝（冬至南中時の太陽高度）＋（屋根面の傾斜角６００３）
尚、北向き屋根の場合、屋根面の傾斜角の符号が逆になって以下の式を満たすような連結角とすればよい。
（連結角）＝（冬至南中時の太陽高度）-（屋根面の傾斜角）
ここで連結角は、固定部材の長手南向き方向（竣工時に棟木に向かう方向）から左周りに計測する。
ここで設定角をその場所の冬至南中時の太陽高度としたが、本願発明の設定角はこれに限定されるものではなく、ここで示した太陽高度の前後3度の範囲で適宜変更されうる。
【００２０】
（工法の手順）
図７は、本実施例のルーバー構造による屋根構造を作る工法を示したフローチャートである。
まず、ルーバーユニット作成ステップ７００１において、当該建築物の設計に基づいて、決まるルーバーユニットを作成する。
ここで上記羽根板の設定角に羽根板面が収まるように、現寸図を作成する。すなわち、水平線を引き、次に冬至南中時の太陽高度の線を引き、さらに屋根面の勾配線を太陽高度の線に交差するように引くと、その交差角度が、羽根板を連結部材に連結する角度となる。この連結角で羽根板を連結部材に連結することによりルーバーユニットが完成する。
次に、組み込みステップ７００２において、上記ルーバーユニットを当該建築物の設計で予め決められた垂木の間にはめ込む。
そして、固定ステップ７００３において、はめ込まれたルーバーユニットの固定部材を垂木にビス止めする。
【００２１】
このような工法の手順により、当該建築物屋根面をルーバー構造として効率的に作り上げていくことが可能になる。
【００２２】
このようにして、構築された屋根では、開放的な室内空間を構成する一方で、夏場の日差し量の調節が可能になり、室内が高温になるのを防ぐ効果がある。
さらには、斜めに角度を付けたルーバーが隣り合う軒同士を連結するため、捻じれに強い、強度のある屋根とすることができる。そのため、筋交い等の屋根を補強する追加的構造物が不要となり、美感のある木材で制作されたルーバーによる構造だけであっても、強固な構造とすることができる。
【産業上の利用可能性】
【００２３】
住宅、東屋、住宅に設けるサンルーム等の屋根に利用可能である。
【符号の説明】
【００２４】
２００１    羽根板
２００２    固定部材
２００３    垂木
【図１】
2017128987.tif 000003
【図２】
2017128987.tif 000004
【図３】
2017128987.tif 000005
【図４】
2017128987.tif 000006
【図５】
2017128987.tif 000007
【図６】
2017128987.tif 000008
【図７】
2017128987.tif 000009
【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
屋根面を屋根面に沿って上下間隔を空けて平行に連結して配置された複数の羽根板で構成した屋根構造であって、
前記羽根板の両側端は、該羽根板面の傾斜角度が設置場所における冬至南中時の太陽高度の前後3度以内とする位置で、隣り合う垂木の間に固定され、
前記屋根構造が北向き屋根面においても設けられていることを特徴とする構造。
【請求項２】
前記垂木と羽根板との固定は、前記上下間隔を空けて平行に前記羽根板の両端を連結する連結部材を介しての固定であること特徴とする請求項１に記載の構造。
【請求項３】
前記複数の羽根板で構成した屋根は、上下間隔を空けて平行に連結部材によって連結された複数の羽根板をルーバーユニットとして予め作成し、隣合う垂木の間に、前記ルーバーユニットを組み込むことにより組み立てられていることを特徴とする請求項１に記載の構造。
【請求項４】
前記複数の羽根板は、竣工時における羽根板面の角度が、前記屋根構造を含む建物の設置場所における冬至南中時の太陽高度の前後３度以内の角度に収まる位置に固定されることを特徴とする請求項３に記載の構造。
【手続補正２】
【補正対象書類名】明細書
【補正対象項目名】０００８
【補正方法】変更
【補正の内容】
【０００８】
本発明の第1の観点の発明では、屋根面を屋根面に沿って上下間隔を空けて平行に連結して配置された複数の羽根板で構成した屋根を含む構造であって、
前記羽根板の両側端は、該羽根板面の傾斜角度が設置場所における冬至南中時の太陽高度の前後3度以内とする位置で、隣り合う垂木の間に固定がされ、
前記屋根構造が北向き屋根面においても設けられていることを特徴とする構造が提供される。
【手続補正３】
【補正対象書類名】明細書
【補正対象項目名】００１０
【補正方法】変更
【補正の内容】
【００１０】
前記複数の羽根板で構成した屋根は、上下間隔を空けて平行に連結部材によって連結された複数の羽根板をルーバーユニットとして予め作成し、隣合う垂木の間に、前記ルーバーユニットを組み込むことにより組み立てられているとしてもよい。